【手続補正書】
【提出日】平成17年5月9日(2005.5.9)
【手続補正１】
【補正対象書類名】明細書
【補正対象項目名】特許請求の範囲
【補正方法】変更
【補正の内容】
【特許請求の範囲】
【請求項１】
申請者から入室申請を受理する受理工程と、
前記入室申請を、部屋情報記憶部に記憶された部屋情報を参照して、当該申請された入室希望場所に関して入室が必要な部屋の管理単位に分解する分解工程と、
前記管理単位に分解された前記入室申請のそれぞれについて、当該管理単位を管理する部屋管理者に承認を要請する部屋管理者承認要請工程と、
前記部屋管理者の承認結果に基づいて、前記申請者に対して前記入室希望場所に関して入室が必要な部屋の入室の可否を判断する入室可否判断工程とを有することを特徴とする入場管理方法。
【請求項２】
前記管理単位は部屋管理者単位であることを特徴とする請求項１に記載の入場管理方法。
【請求項３】
前記管理単位は部屋単位であることを特徴とする請求項１に記載の入場管理方法。
【請求項４】
前記部屋管理者承認要請工程において、前記部屋管理者への承認要請に先立って、当該部屋管理者への承認要請が必要か否かを判断し、不要と判断された場合には、当該承認要請を省略することを特徴とする請求項１に記載の入場管理方法。
【請求項５】
前記入室申請について、前記申請者の上長に承認を要請する上長承認要請工程を更に有し、前記入室可否判断工程では、当該上長の承認結果と前記部屋管理者の承認結果とに基づいて、前記申請者に対して前記入室希望場所に関して入室が必要な部屋の入室の可否を判断することを特徴とする請求項１に記載の入場管理方法。
【請求項６】
前記上長承認要請工程において、前記上長への承認要請に先立って、当該上長への承認要請が必要か否かを判断し、不要と判断された場合には、当該承認要請を省略することを特徴とする請求項５に記載の入場管理方法。
【請求項７】
入室申請者に対して部屋単位で入室許可を行なう入室許可工程と、
部屋単位の前記入室許可を、部屋情報記憶部に記憶された各部屋の電子錠情報を参照して、電子錠単位の解錠許可に分解する分解工程と、
電子錠単位に分解した前記解錠許可に基づいて、前記入室申請者に対して各電子錠の解錠の可否を判断する解錠可否判断工程とを有することを特徴とする入場管理方法。
【請求項８】
前記入室申請者に付与された電子鍵に対応付けて、前記入室申請を許可した部屋に関する電子錠を、当該電子鍵により解錠可能な電子錠として管理する電子錠管理工程とを有することを特徴とする請求項７に記載の入場管理方法。
【請求項９】
前記入室許可工程に先立って、前記入室申請者へ電子鍵が付与済みか否かを検査する検査工程と、
電子鍵が付与済みでない申請者に対する電子鍵の付与を要請する付与要請工程とを有することを特徴とする請求項７に記載の入場管理方法。
【請求項１０】
入場希望者からの入場希望場所申請データに基づいて、部屋情報記憶部に記憶された部屋情報を参照して、当該入場希望場所に関して入場が必要な単位領域ごとに入場の可否を判断する入場可否判断工程と、
前記入場希望者に関連付けて前記単位領域ごとの入場の可否を当該単位領域に関連する錠の解錠可否データとして錠データ記憶部に登録する登録工程とを有することを特徴とする入場管理方法。
【請求項１１】
申請者から入室申請を受理する受理手段と、
前記入室申請を、部屋情報記憶手段に記憶された部屋情報を参照して、当該申請された入室希望場所に関して入室が必要な部屋の管理単位に分解する分解手段と、
前記管理単位に分解された前記入室申請のそれぞれについて、当該管理単位を管理する部屋管理者に承認を要請する部屋管理者承認要請手段と、
前記部屋管理者の承認結果に基づいて、前記申請者に対して前記入室希望場所に関して入室が必要な部屋の入室の可否を判断する入室可否判断手段とを有することを特徴とする入場管理システム。
【請求項１２】
入室申請者に対して部屋単位で入室許可を行なう入室許可手段と、
部屋単位の前記入室許可を、部屋情報記憶手段に記憶された各部屋の電子錠情報を参照して、電子錠単位に分解する分解手段と、
電子錠単位に分解した前記解錠情報に基づいて、前記入室申請者に対して各電子錠の解錠の可否を判断する解錠可否判断手段とを有することを特徴とする入場管理システム。
【請求項１３】
入場希望者からの入場希望場所申請データに基づいて、部屋情報記憶手段に記憶された部屋情報を参照して、当該入場希望場所に関して入場が必要な単位領域ごとに入場の可否を判断する入場可否判断手段と、
前記入場希望者に関連付けて前記単位領域ごとの入場の可否を当該単位領域に関連する錠の解錠可否データとして錠データ記憶手段に登録する登録手段とを有することを特徴とする入場管理システム。
【手続補正２】
【補正対象書類名】明細書
【補正対象項目名】００２５
【補正方法】変更
【補正の内容】
【００２５】
上記目的を達成するために、本発明に係る入場管理方法は、申請者から入室申請を受理する受理工程と、前記入室申請を、部屋情報記憶部に記憶された部屋情報を参照して、当該申請された入室希望場所に関して入室が必要な部屋の管理単位に分解する分解工程と、前記管理単位に分解された前記入室申請のそれぞれについて、当該管理単位を管理する部屋管理者に承認を要請する部屋管理者承認要請工程と、前記部屋管理者の承認結果に基づいて、前記申請者に対して前記入室希望場所に関して入室が必要な部屋の入室の可否を判断する入室可否判断工程とを備える。
【手続補正３】
【補正対象書類名】明細書
【補正対象項目名】００２６
【補正方法】変更
【補正の内容】
【００２６】
また本発明の他の態様によれば、入場管理方法に、入室申請者に対して部屋単位で入室許可を行なう入室許可工程と、部屋単位の前記入室許可を、部屋情報記憶部に記憶された各部屋の電子錠情報を参照して、電子錠単位の解錠許可に分解する分解工程と、電子錠単位に分解した前記解錠許可に基づいて、前記入室申請者に対して各電子錠の解錠の可否を判断する解錠可否判断工程とを備える。
【手続補正４】
【補正対象書類名】明細書
【補正対象項目名】００２７
【補正方法】削除
【補正の内容】
【手続補正５】
【補正対象書類名】明細書
【補正対象項目名】００２８
【補正方法】変更
【補正の内容】
【００２８】
また本発明の他の態様によれば、入場管理方法に、入場希望者からの入場希望場所申請データに基づいて、部屋情報記憶部に記憶された部屋情報を参照して、当該入場希望場所に関して入場が必要な単位領域ごとに入場の可否を判断する入場可否判断工程と、前記入場希望者に関連付けて前記単位領域ごとの入場の可否を当該単位領域に関連する錠の解錠可否データとして錠データ記憶部に登録する登録工程とを備える。
【手続補正６】
【補正対象書類名】明細書
【補正対象項目名】００２９
【補正方法】変更
【補正の内容】
【００２９】
また本発明の他の態様によれば、入場管理システムに、申請者から入室申請を受理する受理手段と、前記入室申請を、部屋情報記憶手段に記憶された部屋情報を参照して、当該申請された入室希望場所に関して入室が必要な部屋の管理単位に分解する分解手段と、前記管理単位に分解された前記入室申請のそれぞれについて、当該管理単位を管理する部屋管理者に承認を要請する部屋管理者承認要請手段と、前記部屋管理者の承認結果に基づいて、前記申請者に対して前記入室希望場所に関して入室が必要な部屋の入室の可否を判断する入室可否判断手段とを備える。
【手続補正７】
【補正対象書類名】明細書
【補正対象項目名】００３０
【補正方法】変更
【補正の内容】
【００３０】
また本発明の他の態様によれば、入場管理システムに、入室申請者に対して部屋単位で入室許可を行なう入室許可手段と、部屋単位の前記入室許可を、部屋情報記憶手段に記憶された各部屋の電子錠情報を参照して、電子錠単位に分解する分解手段と、電子錠単位に分解した前記解錠情報に基づいて、前記入室申請者に対して各電子錠の解錠の可否を判断する解錠可否判断手段とを備える。
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】変更
【補正の内容】
【００３２】
また本発明の他の態様によれば、入場管理システムに、入場希望者からの入場希望場所申請データに基づいて、部屋情報記憶手段に記憶された部屋情報を参照して、当該入場希望場所に関して入場が必要な単位領域ごとに入場の可否を判断する入場可否判断手段と、前記入場希望者に関連付けて前記単位領域ごとの入場の可否を当該単位領域に関連する錠の解錠可否データとして錠データ記憶手段に登録する登録手段とを備える。